【手続補正書】
【提出日】平成26年4月28日(2014.4.28)
【手続補正１】
【補正対象書類名】明細書
【補正対象項目名】発明の名称
【補正方法】変更
【補正の内容】
【発明の名称】撮像装置、プログラム及び表示方法
【手続補正２】
【補正対象書類名】明細書
【補正対象項目名】０００１
【補正方法】変更
【補正の内容】
【０００１】
本発明は、撮影画像に対して画像処理を行う撮像装置、プログラム及び表示方法に関する。
【手続補正３】
【補正対象書類名】明細書
【補正対象項目名】０００６
【補正方法】変更
【補正の内容】
【０００６】
上述した課題を解決するために本発明の一つの態様は、
撮像手段と、
前記撮像手段により取得された撮影画像を表示する表示手段と、
前記表示手段に表示されている前記撮影画像内の位置或いは範囲を指定する指定手段と、
前記指定手段により指定された位置或いは範囲に相当する前記撮影画像内の部分画像データに基づいて画像処理の内容を決定し、その部分画像データの画像部分に対して前記決定された内容の画像処理を行った部分画像データと、前記撮影画像の画像全体に対して前記決定された内容の画像処理を行った全体処理画像を生成する画像処理手段と、
前記画像処理手段により生成された前記部分処理画像と、前記全体処理画像を前記表示手段に識別可能に表示させる表示制御手段と、
を備えることを特徴とする撮像装置である。
上述した課題を解決するために本発明の他の態様は、
撮像手段と、
前記撮像手段により取得された撮影画像を表示する表示手段と、
前記表示手段に表示されている前記撮影画像内の位置或いは範囲を指定する指定手段と、
前記指定手段により指定された位置或いは範囲に相当する前記撮影画像内の部分画像データに基づいて画像処理の内容を決定し、前記撮影画像の画像全体に対して前記決定された内容の画像処理を行う画像処理手段と、
前記画像処理手段により画像処理された画像を前記表示手段に表示させると共に、前記指定手段により指定された位置或いは範囲を前記表示手段に識別可能に表示させる表示制御手段と、
を備えることを特徴とする撮像装置である。
【手続補正４】
【補正対象書類名】明細書
【補正対象項目名】０００７
【補正方法】変更
【補正の内容】
【０００７】
上述した課題を解決するために本発明の他の態様は、
撮像手段と、前記撮像手段により取得された撮影画像を表示する表示手段を備えるコンピュータに対して、
前記表示手段に表示されている前記撮影画像内の位置或いは範囲を指定する機能と、
前記指定された位置或いは範囲に相当する前記撮影画像内の部分画像データに基づいて画像処理の内容を決定し、その部分画像データの画像部分に対して前記決定された内容の画像処理を行った部分画像データと、前記撮影画像の画像全体に対して前記決定された内容の画像処理を行った全体処理画像を生成する機能と、
前記生成された部分処理画像と、前記生成された全体処理画像を前記表示手段に識別可能に表示させる機能と、
を実現させるためのプログラムである。
上述した課題を解決するために本発明の他の態様は、
撮像手段と、前記撮像手段により取得された撮影画像を表示する表示手段を備えるコンピュータに対して、
前記表示手段に表示されている前記撮影画像内の位置或いは範囲を指定する機能と、
前記指定された位置或いは範囲に相当する前記撮影画像内の部分画像データに基づいて画像処理の内容を決定し、前記撮影画像の画像全体に対して前記決定された内容の画像処理を行う機能と、
前記画像処理された画像を表示手段に表示させると共に、前記指定された位置或いは範囲を前記表示手段に識別可能に表示させる機能と、
を実現させるためのプログラムである。
上述した課題を解決するために本発明の他の態様は、
撮像手段と、前記撮像手段により取得された撮影画像を表示する表示手段を備える撮像装置における表示方法であって、
前記表示手段に表示されている前記撮影画像内の位置或いは範囲を指定するステップと、
前記指定された位置或いは範囲に相当する前記撮影画像内の部分画像データに基づいて画像処理の内容を決定し、その部分画像データの画像部分に対して前記決定された内容の画像処理を行った部分画像データと、前記撮影画像の画像全体に対して前記決定された内容の画像処理を行った全体処理画像を生成するステップと、
前記生成された部分処理画像と、前記生成された全体処理画像を前記表示手段に識別可能に表示させるステップと、
を含むことを特徴とする表示方法である。
上述した課題を解決するために本発明の他の態様は、
撮像手段と、前記撮像手段により取得された撮影画像を表示する表示手段を備える撮像装置における表示方法であって、
前記表示手段に表示されている前記撮影画像内の位置或いは範囲を指定するステップと、
前記指定された位置或いは範囲に相当する前記撮影画像内の部分画像データに基づいて画像処理の内容を決定し、前記撮影画像の画像全体に対して前記決定された内容の画像処理を行うステップと、
前記画像処理された画像を表示手段に表示させると共に、前記指定された位置或いは範囲を前記表示手段に識別可能に表示させるステップと、
を含むことを特徴とする表示方法である。
【手続補正５】
【補正対象書類名】特許請求の範囲
【補正対象項目名】全文
【補正方法】変更
【補正の内容】
【特許請求の範囲】
【請求項１】
撮像手段と、
前記撮像手段により取得された撮影画像を表示する表示手段と、
前記表示手段に表示されている前記撮影画像内の位置或いは範囲を指定する指定手段と、
前記指定手段により指定された位置或いは範囲に相当する前記撮影画像内の部分画像データに基づいて画像処理の内容を決定し、その部分画像データの画像部分に対して前記決定された内容の画像処理を行った部分画像データと、前記撮影画像の画像全体に対して前記決定された内容の画像処理を行った全体処理画像を生成する画像処理手段と、
前記画像処理手段により生成された前記部分処理画像と、前記全体処理画像を前記表示手段に識別可能に表示させる表示制御手段と、
を備えることを特徴とする撮像装置。
【請求項２】
前記表示制御手段は、前記部分処理画像と、前記全体処理画像を切り換え表示させることにより識別可能に表示させる、
ようにしたことを特徴とする請求項１に記載の撮像装置。
【請求項３】
前記表示制御手段は、前記部分処理画像と、前記全体処理画像を前記表示手段の画面に分割表示させることにより識別可能に表示させる、
ようにしたことを特徴とする請求項１に記載の撮像装置。
【請求項４】
前記全体処理画像を保存対象として確定することを指示する確定手段を更に備える、
ようにしたことを特徴とする請求項１〜３のいずれかに記載の撮像装置。
【請求項５】
撮像手段と、
前記撮像手段により取得された撮影画像を表示する表示手段と、
前記表示手段に表示されている前記撮影画像内の位置或いは範囲を指定する指定手段と、
前記指定手段により指定された位置或いは範囲に相当する前記撮影画像内の部分画像データに基づいて画像処理の内容を決定し、前記撮影画像の画像全体に対して前記決定された内容の画像処理を行う画像処理手段と、
前記画像処理手段により画像処理された画像を前記表示手段に表示させると共に、前記指定手段により指定された位置或いは範囲を前記表示手段に識別可能に表示させる表示制御手段と、
を備えることを特徴とする撮像装置。
【請求項６】
前記指定手段は、前記表示手段上に重ね合わせて配設されているタッチパネルであり、
前記指定手段による位置の指定は、前記タッチパネルへのタッチ位置を検出することにより行う、
ようにしたことを特徴とする請求項１〜５のいずれかに記載の撮像装置。
【請求項７】
前記画像処理手段は、前記画像処理としてホワイトバランス調整処理を行う、
ようにしたことを特徴とする請求項１〜６のいずれかに記載の撮像装置。
【請求項８】
前記画像処理手段は、前記画像処理として露出調整を行う、
ようにしたことを特徴とする請求項１〜６のいずれかに記載の撮像装置。
【請求項９】
撮像手段と、前記撮像手段により取得された撮影画像を表示する表示手段を備えるコンピュータに対して、
前記表示手段に表示されている前記撮影画像内の位置或いは範囲を指定する機能と、
前記指定された位置或いは範囲に相当する前記撮影画像内の部分画像データに基づいて画像処理の内容を決定し、その部分画像データの画像部分に対して前記決定された内容の画像処理を行った部分画像データと、前記撮影画像の画像全体に対して前記決定された内容の画像処理を行った全体処理画像を生成する機能と、
前記生成された部分処理画像と、前記生成された全体処理画像を前記表示手段に識別可能に表示させる機能と、
を実現させるためのプログラム。
【請求項１０】
撮像手段と、前記撮像手段により取得された撮影画像を表示する表示手段を備えるコンピュータに対して、
前記表示手段に表示されている前記撮影画像内の位置或いは範囲を指定する機能と、
前記指定された位置或いは範囲に相当する前記撮影画像内の部分画像データに基づいて画像処理の内容を決定し、前記撮影画像の画像全体に対して前記決定された内容の画像処理を行う機能と、
前記画像処理された画像を表示手段に表示させると共に、前記指定された位置或いは範囲を前記表示手段に識別可能に表示させる機能と、
を実現させるためのプログラム。
【請求項１１】
撮像手段と、前記撮像手段により取得された撮影画像を表示する表示手段を備える撮像装置における表示方法であって、
前記表示手段に表示されている前記撮影画像内の位置或いは範囲を指定するステップと、
前記指定された位置或いは範囲に相当する前記撮影画像内の部分画像データに基づいて画像処理の内容を決定し、その部分画像データの画像部分に対して前記決定された内容の画像処理を行った部分画像データと、前記撮影画像の画像全体に対して前記決定された内容の画像処理を行った全体処理画像を生成するステップと、
前記生成された部分処理画像と、前記生成された全体処理画像を前記表示手段に識別可能に表示させるステップと、
を含むことを特徴とする表示方法。
【請求項１２】
撮像手段と、前記撮像手段により取得された撮影画像を表示する表示手段を備える撮像装置における表示方法であって、
前記表示手段に表示されている前記撮影画像内の位置或いは範囲を指定するステップと、
前記指定された位置或いは範囲に相当する前記撮影画像内の部分画像データに基づいて画像処理の内容を決定し、前記撮影画像の画像全体に対して前記決定された内容の画像処理を行うステップと、
前記画像処理された画像を表示手段に表示させると共に、前記指定された位置或いは範囲を前記表示手段に識別可能に表示させるステップと、
を含むことを特徴とする表示方法。